【手続補正書】
【提出日】平成25年1月30日(2013.1.30)
【手続補正１】
【補正対象書類名】特許請求の範囲
【補正対象項目名】全文
【補正方法】変更
【補正の内容】
【特許請求の範囲】
【請求項１】
表示装置に表示される複数の表示アイテムのうち、少なくとも一つの表示アイテムを選択する選択手段と、
前記表示装置に表示される複数の表示アイテムのうち、前記選択手段により選択された少なくとも一つの表示アイテムに対して、該少なくとも一つの表示アイテムが選択されていることを表す識別表示を行うように制御する表示制御手段と、
前記表示装置に表示されている複数の表示アイテムを、該複数の表示アイテムと少なくとも一部が異なる他の複数の表示アイテムに変更する変更手段と、
前記変更手段による変更の前に指定されていた表示画面上の位置を記憶する記憶手段と、
前記変更手段による変更の後に、前記記憶手段により記憶された前記表示画面上の位置に表示された表示アイテムを選択するように前記選択手段を制御する制御手段と、を有する
ことを特徴とする表示制御装置。
【請求項２】
前記表示アイテムは、画像であることを特徴とする請求項１に記載の表示制御装置。
【請求項３】
前記記憶手段は、前記変更手段による変更の前に指定されていた前記表示画面上の位置として、前記変更手段による変更の前に前記選択手段により選択されていた少なくとも一つの表示アイテムの表示画面上の位置を記憶することを特徴とする請求項１または２に記載の表示制御装置。
【請求項４】
前記表示装置に対するタッチ操作を検出する検出手段をさらに有し、
前記選択手段は、前記検出手段により検出された前記タッチ操作に応じて前記選択を行うことを特徴する請求項１乃至３のいずれか１項に記載の表示制御装置。
【請求項５】
前記変更手段は、前記検出手段により検出された、前記タッチ操作がなされている位置が所定の距離以上移動したことに応じて前記変更を行うことを特徴とする請求項４に記載の表示制御装置。
【請求項６】
前記記憶手段は、前記変更手段による変更の前に指定されていた前記表示画面上の位置として、前記変更手段による変更の前に前記検出手段により最後に検出された前記タッチ操作がなされた位置を記憶することを特徴とする請求項４または５に記載の表示制御装置。
【請求項７】
前記表示制御手段は、前記変更手段による変更が開始されると、前記識別表示を表示しないように制御することを特徴とする請求項１乃至６のいずれか１項に記載の表示制御装置。
【請求項８】
前記変更手段による変更は、表示している複数の表示アイテムのスクロール操作によって行われることを特徴とする請求項１乃至７のいずれか１項に記載の表示制御装置。
【請求項９】
前記変更手段による変更は、ページ切り替え操作によって行われることを特徴とする請求項１乃至８のいずれか１項に記載の表示制御装置。
【請求項１０】
表示装置に対するタッチ操作を検出する検出手段と、
少なくとも前記検出手段により検出された前記タッチ操作に応じて、前記表示装置に表示される複数の表示アイテムのうち、少なくとも一つの表示アイテムを選択する選択手段と、
前記表示装置に表示される複数の表示アイテムのうち、前記選択手段により選択された少なくとも一つの表示アイテムに対して、該少なくとも一つの表示アイテムが選択されていることを表す識別表示を行うように制御する表示制御手段と、
前記検出手段により検出された、前記タッチ操作がなされている位置が所定の距離以上移動した場合に判定される移動操作に応じて、前記表示装置に表示されている複数の表示アイテムを、該複数の表示アイテムと少なくとも一部が異なる他の複数の表示アイテムに変更する変更手段と、
前記変更手段による変更を行わせる前記移動操作の後に、前記検出手段により検出されていた前記タッチ操作が検出されなくなった表示画面上の位置を記憶する記憶手段と、
前記変更手段による変更の後に、前記記憶手段により記憶された前記表示画面上の位置に表示された表示アイテムを選択するように前記選択手段を制御する制御手段と、を有する
ことを特徴とする表示制御装置。
【請求項１１】
前記選択手段は、前記変更手段による変更の後に前記表示画面上の位置に表示された表示アイテムが前記変更の前に選択していた変更前表示アイテムと異なる場合に、前記変更前表示アイテムを選択しないことを特徴とする請求項１乃至１０のいずれか１項に記載の表示制御装置。
【請求項１２】
選択手段が、表示装置に表示される複数の表示アイテムのうち、少なくとも一つの表示アイテムを選択する選択工程と、
表示制御手段が、前記表示装置に表示される複数の表示アイテムのうち、前記選択工程において選択された少なくとも一つの表示アイテムに対して、該少なくとも一つの表示アイテムが選択されていることを表す識別表示を行うように制御する表示制御工程と、
変更手段が、前記表示装置に表示されている複数の表示アイテムを、該複数の表示アイテムと少なくとも一部が異なる他の複数の表示アイテムに変更する変更工程と、
記憶手段が、前記変更工程における変更の前に指定されていた表示画面上の位置を記憶する記憶工程と、
制御手段が、前記変更手段による変更の後に、前記記憶工程において記憶された前記表示画面上の位置に表示された表示アイテムを選択するように前記選択工程の動作を制御する制御工程と、を有する
ことを特徴とする表示制御方法。
【請求項１３】
検出手段が、表示装置に対するタッチ操作を検出する検出工程と、
選択手段が、少なくとも前記検出工程において検出された前記タッチ操作に応じて、前記表示装置に表示される複数の表示アイテムのうち、少なくとも一つの表示アイテムを選択する選択工程と、
表示制御手段が、前記表示装置に表示される複数の表示アイテムのうち、前記選択工程において選択された少なくとも一つの表示アイテムに対して、該少なくとも一つの表示アイテムが選択されていることを表す識別表示を行うように制御する表示制御工程と、
変更手段が、前記検出工程において検出された、前記タッチ操作がなされている位置が所定の距離以上移動した場合に判定される移動操作に応じて、前記表示装置に表示されている複数の表示アイテムを、該複数の表示アイテムと少なくとも一部が異なる他の複数の表示アイテムに変更する変更工程と、
記憶手段が、前記変更工程における変更を行わせる前記移動操作の後に、前記検出工程において検出されていた前記タッチ操作が検出されなくなった表示画面上の位置を記憶する記憶工程と、
制御手段が、前記変更工程における変更の後に、前記記憶工程において記憶された前記表示画面上の位置に表示された表示アイテムを選択するように前記選択工程の動作を制御する制御工程と、を有する
ことを特徴とする表示制御方法。
【請求項１４】
コンピュータを、請求項１乃至１１のいずれか１項に記載の表示制御装置の各手段として機能させるためのプログラム。
【請求項１５】
コンピュータを、請求項１乃至１１のいずれか１項に記載の表示制御装置の各手段として機能させるためのプログラムを記録したコンピュータが読み取り可能な記録媒体。
【手続補正２】
【補正対象書類名】明細書
【補正対象項目名】０００６
【補正方法】変更
【補正の内容】
【０００６】
前述の目的を達成するために、本発明の表示制御装置は、以下の構成を備える。
表示装置に表示される複数の表示アイテムのうち、少なくとも一つの表示アイテムを選択する選択手段と、表示装置に表示される複数の表示アイテムのうち、選択手段により選択された少なくとも一つの表示アイテムに対して、該少なくとも一つの表示アイテムが選択されていることを表す識別表示を行うように制御する表示制御手段と、表示装置に表示されている複数の表示アイテムを、該複数の表示アイテムと少なくとも一部が異なる他の複数の表示アイテムに変更する変更手段と、変更手段による変更の前に指定されていた表示画面上の位置を記憶する記憶手段と、変更手段による変更の後に、記憶手段により記憶された表示画面上の位置に表示された表示アイテムを選択するように選択手段を制御する制御手段と、を有することを特徴とする。
【手続補正３】
【補正対象書類名】明細書
【補正対象項目名】００３７
【補正方法】変更
【補正の内容】
【００３７】
Ｓ５０８で、ＣＰＵ１０１はユーザによってタッチアップ操作がなされた、またはタッチオフ状態であると判断された際に、ディスプレイ１１０の表示領域の中にフォーカス枠が重畳表示された画像が存在したかを判断する。即ち、ＣＰＵ１０１は、ユーザによってムーブまたはフリック動作が行われ、Ｓ５０６で表示制御部１０４にフォーカス枠を非表示状態にさせたか否かを判断する。そしてＣＰＵ１０１は、フォーカス枠が非表示状態である場合は処理をＳ５０８に移し、フォーカス枠が表示されている状態である場合は処理をＳ５０１に戻す。Ｓ５０８において、フォーカス枠が表示されている状態であるということは、タッチダウン操作のあと接触入力点が動かずに離された（タッチアップ）ということであり、動作としては画像の選択のみが行われたことになる。